(57)【要約】【課題】脱水運転中の水槽外への排水を円滑に行い、脱水性能を向上する。【解決手段】水槽１内に回転可能に配設した回転槽４と、回転槽４を回転駆動するモータ１０と、水槽１の底部に設けた凹形状の排水部１５と、排水部１５の最低部に設けた第１の排水口１６と、水槽１内の洗濯水を排水する排水手段１８と、第１の排水口１６および排水手段１８を介して水槽１内の洗濯水を筐体２外へ排出する排水経路１７とを備え、排水部１５は、第１の排水口１６より前側に第２の排水口２１を設けたものである。【選択図】図１
2014147548.tif 000002
【特許請求の範囲】
【請求項１】
前側に開口部を有する水槽と、
前記水槽内に回転可能に配設した回転槽と、
前記回転槽を回転駆動するモータと、
前記水槽の下部に設けた凹形状の排水部と、
前記排水部の最低部に設けた第１の排水口と、
前記水槽内の洗濯水を排水する排水手段と、
前記第１の排水口および前記排水手段を介して前記水槽内の洗濯水を筐体外へ排出する排水経路とを備え、
前記排水部は、前記第１の排水口より前側に第２の排水口を設けたドラム式洗濯機。
【請求項２】
前記第２の排水口は、前記排水部の前側に設けた請求項１に記載のドラム式洗濯機。
【請求項３】
前記排水部の下方に排水路を形成する蓋部を設け、
前記第２の排水口は、前記排水部の前側の端部と、前記蓋部の前側の端部との間に設けた請求項１または２に記載のドラム式洗濯機。
【請求項４】
前記第２の排水口は、前記回転槽の脱水回転方向の進行側の排水部の端部に設けた請求項１〜３のいずれか１項に記載のドラム式洗濯機。
【請求項５】
前記第２の排水口は、前記排水部の後側に設けた請求項１〜４のいずれか１項に記載のドラム式洗濯機。
【請求項６】
前記水槽に設けた排気口と、
前記回転槽内に乾燥用空気を導入する送風口と、
前記排気口と前記送風口を連通接続する循環風路と、
前記循環風路に送風する送風手段と、
前記水槽に送られる乾燥用空気を加熱する加熱手段と、
洗濯および乾燥運転を制御する制御手段とを有し、
乾燥機能を備えた請求項１〜５のいずれか１項に記載のドラム式洗濯機。
【発明の詳細な説明】
【技術分野】
【０００１】
本発明は、衣類等の洗濯を行うドラム式洗濯機に関するものである。
【背景技術】
【０００２】
従来、この種のドラム式洗濯機は、衣類等の洗濯物を回転槽内で洗い、すすぎ、脱水の一連の工程を実行し、洗濯を行うものである。
【０００３】
衣類に含まれる水分を回転槽の高速回転により遠心脱水する脱水工程では、衣類から脱水された水滴が飛散し、水槽の内壁面に付着する。付着した水滴は、回転槽の回転で水槽内に発生する気流によって水槽の内壁面を移動し、水槽の最下部に設けられている排水口から排水経路を経て機外へ排出されるものである（例えば、特許文献１参照）。
【０００４】
図９は、特許文献１に記載された従来のドラム式洗濯機を示すものである。図９において、筐体５１内に水槽５２が弾性支持され、水槽５２内に円筒状の回転槽５３が回転可能に設けられている。回転槽５３は、水槽５２の後面外部に取り付けたモータ５４によって回転駆動される。回転槽５３の周側面に多数の孔５５を設けて水槽５２と連通している。
【０００５】
水槽５２の底部には凹形状の排水部５６が設けられ、排水部５６の最下部に排水口５７が設けられている。脱水工程における回転槽５３の高速回転により衣類から遠心脱水された水滴は、回転槽５３の孔５５から水槽５２の内壁面に衝突し、回転槽５３の回転によるファン効果によって、水槽５２の内壁面を移動し、排水部５６に回収され、最下部に設けられている排水口５７から水槽５２外に排出されるものである。
【先行技術文献】
【特許文献】
【０００６】
【特許文献１】特開２００５−６５９２０号公報
【発明の概要】
【発明が解決しようとする課題】
【０００７】
しかしながら、前記従来の構成では、脱水工程において、回転槽５３を高速回転（例えば、１２００回転）させた場合、回転槽５３の孔５５によって回転槽５３の回転方向への気流が発生することに加えて、回転槽支持部５８もファン効果を起こすため、水槽５２の後方から前方への気流が発生する。そのため、衣類から脱水され、排水部５６に回収された水滴は、気流の影響で排水部５６を前方に移動するため、排水部５６の後方に設けられている排水孔５７に水滴が落下せず、排水が行われ難いという課題があった。さらに、気流の影響で水滴が排水部５６から再び水槽５２の内壁面に飛散し、気流の影響で前方の開口部５９から回転槽５３内に戻って内部の衣類を濡らすため、脱水に時間がかかるという課題があった。
【０００８】
本発明は、前記従来の課題を解決するもので、脱水運転中の水槽外への排水を円滑に行い、脱水性能を向上したドラム式洗濯機を提供することを目的とする。
【課題を解決するための手段】
【０００９】
前記従来の課題を解決するために、本発明のドラム式洗濯機は、前側に開口部を有する水槽と、前記水槽内に回転可能に配設した回転槽と、前記回転槽を回転駆動するモータと、前記水槽の下部に設けた凹形状の排水部と、前記排水部の最低部に設けた第１の排水口と、前記水槽内の洗濯水を排水する排水手段と、前記第１の排水口および前記排水手段を
介して前記水槽内の洗濯水を筐体外へ排出する排水経路とを備え、前記排水部は、前記第１の排水口より前側に第２の排水口を設けたものである。
【００１０】
これによって、脱水工程時に回転槽の回転により水槽内に発生する気流によって、排水部に溜まる水の排水を促進することができ、水滴が回転槽内に戻るのを防止して、脱水性能を向上させることができる。
【発明の効果】
【００１１】
本発明のドラム式洗濯機は、脱水工程時に排水部に溜まる水の排水を促進することができ、脱水性能を向上させることができる。
【図面の簡単な説明】
【００１２】
【図１】本発明の実施の形態１におけるドラム式洗濯機の要部断面図
【図２】同ドラム式洗濯機の図１のＡ−Ａ断面図
【図３】同ドラム式洗濯機の排水部の一部切欠斜視図
【図４】同ドラム式洗濯機の水槽近傍の気流の模式図
【図５】同ドラム式洗濯機の水槽近傍の気流の模式図
【図６】同ドラム式洗濯機の水槽近傍の気流の模式図
【図７】本発明の実施の形態２におけるドラム式洗濯機のＡ−Ａ断面図
【図８】本発明の実施の形態３におけるドラム式洗濯機の要部断面図
【図９】従来のドラム式洗濯機の要部断面図
【発明を実施するための形態】
【００１３】
本発明のドラム式洗濯機は、前側に開口部を有する水槽と、前記水槽内に回転可能に配設した回転槽と、前記回転槽を回転駆動するモータと、前記水槽の下部に設けた凹形状の排水部と、前記排水部の最低部に設けた第１の排水口と、前記水槽内の洗濯水を排水する排水手段と、前記第１の排水口および前記排水手段を介して前記水槽内の洗濯水を筐体外へ排出する排水経路とを備え、前記排水部は、前記第１の排水口より前側に第２の排水口を設けたものである。
【００１４】
これにより、脱水工程中に水槽内に生じる前方向きの気流を活かして、水槽の排水部に溜まる水の排水を促進することができ、水槽の排水部に溜まる水が回転槽の高速回転によって生じる気流に巻き込まれて回転槽内に戻るのを抑制し、脱水性能を向上することができる。
【００１５】
上記構成において、前記第２の排水口は、前記排水部の前側に設けた構成としてもよい。
【００１６】
これにより、脱水時に生じる前向きの気流を活かして、排水部に溜まる水の機外への排水を促進することができる。
【００１７】
上記構成において、前記排水部の下方に排水路を形成する蓋部を設け、
前記第２の排水口は、前記排水部の前側の端部と、前記蓋部の前側の端部との間に設けてもよい。
【００１８】
これにより、第２の排水口から排水する排水路を水槽と一体に構成することができ、新たな排水用ホースの接続部を必要とせず、振動等による接続部からの水漏れを防止することができる。
【００１９】
上記構成において、前記第２の排水口は、前記回転槽の脱水回転方向の進行側の排水部
の端部に設けてもよい。
【００２０】
これにより、脱水工程中に水槽内に生じる前方向きの気流に加え、回転槽の回転方向の気流を活かして、排水部に溜まる水の機外への排水を促進することができる。
【００２１】
上記構成において、前記第２の排水口は、前記排水部の後側に設けてもよい。
【００２２】
これにより、回転槽４を高速回転させる脱水工程において、本脱水工程より低速の中間脱水工程では、水槽内に生じる前方向きの気流が弱く、排水部の後部に溜まる水を蓋部の下方に設けた排水路に流して第１の排水口から迅速に排水することができる。
【００２３】
上記構成において、前記水槽に設けた排気口と、前記回転槽内に乾燥用空気を導入する送風口と、前記排気口と前記送風口を連通接続する循環風路と、前記循環風路に送風する送風手段と、前記水槽に送られる乾燥用空気を加熱する加熱手段と、洗濯および乾燥運転を制御する制御手段とを有し、乾燥機能を備えてもよい。
【００２４】
これにより、脱水工程中に排水部に到達し、気流によって前方へ移動する水滴を第２の排水口から排水することができ、水滴が回転槽内に戻るのを防止して脱水性能を向上させることができるとともに、洗濯した衣類等を同一の回転槽内で続けて効率よく乾燥させることができるようになり、運転時間の短縮と消費電力を低減することができる。また、脱水運転中に水滴を円滑に機外へ排出することにより、気流による循環風路内への水滴の浸入を抑制し、乾燥フィルタ装置および循環風路を流れる風量を確保して、乾燥性能を良好に維持することができる。
【００２５】
以下、本発明の実施の形態について、図面を参照しながら説明する。なお、この実施の形態によって本発明が限定されるものではない。
【００２６】
（実施の形態１）
図１は、本発明の第１の実施の形態１におけるドラム式洗濯機の要部断面図、図２は、図１のＡ−Ａ断面図、図３は、同ドラム式洗濯機の排水部の一部切欠斜視図である。
【００２７】
図１〜図３において、水槽１は、ドラム式洗濯機の筐体２の内部で複数のサスペンション機構３により弾性的に支持されている。回転槽４は、正面側に洗濯物５を出し入れする投入口６を有し、略有底筒状に構成して水槽１内に配設されている。回転槽４は、回転軸４ａで回転可能に設けられ、衣類等の洗濯物５を収容する。
【００２８】
回転槽４の周側壁７には全周に亘って多数の孔８を設け、回転槽４の周側壁７の内方には、洗濯物５を回転槽４の回転方向へ持ち上げるための撹拌バッフル９を備えている。水槽１と回転槽４と回転軸４ａは、水平に対して角度θ（例えば、１０〜２０°）で前上がりに傾けて設けられている。
【００２９】
回転槽４の背面には、回転軸４ａとの強度を増すため回転軸支持部４ｂが設けてあり、回転軸４ａを中心として複数のリブを放射状に形成している。水槽１の後面側の外部には、回転槽４を回転駆動するモータ１０が設けてあり、回転槽４を正逆回転させるようになっている。モータ１０は、ブラシレス直流モータ等で構成され、インバータ制御によって回転速度が自在に変化できるようにしている。
【００３０】
筐体２の前面には、投入口６を開閉する扉体１１が設けられている。投入口６と対向する水槽１の開口部１ａは、伸縮自在な可撓性のパッキン１２によって筐体２と気密に連結されている。扉体１１は、外から回転槽４の内部が見えるように透明の窓が設けられてい
る。
【００３１】
扉体１１を閉じると、水槽１の開口部１ａに設けられたパッキン１２が扉体１１の内面に密接し、水槽１内は水密、気密空間になって、洗い、すすぎ、脱水の各工程を実行する際に、水や空気が外部に漏れないようにしている。
【００３２】
筐体２内には、給水弁（給水手段）１３が取り付けられ、給水弁１３には、洗剤ケース（図示せず）を介して水槽１に連通する給水経路１４が接続されている。給水弁１３を開閉することにより、水槽１内への水道水の給水と停止を行うことができる。
【００３３】
水槽１の底部には、洗い工程で使用した洗濯水の排水後に行われる中間脱水工程において、洗濯時に発生した泡が阻害とならないように下方に窪んだ凹形状の排水部１５が設けられ、排水部１５の実質的に最低部であるその最後部に第１の排水口１６が設けられている。排水部１５は、水槽１の後部から前方へ回転軸４ａが延びている方向に長く形成している。
【００３４】
排水部１５の底面は、回転軸４ａと同様に水平に対して角度θ（例えば、１０〜２０°）で前上がりに傾けて設けられており、水槽１の周側面と略平行である。そして、排水部１５の前方側の端部には、水槽１の周側面に向かって前上がりに傾斜した傾斜部１５ａを設けている。傾斜部１５ａの角度は、排水部１５が下方に窪んだ凹形状の深さ分だけ水平に対して角度θより急である。
【００３５】
第１の排水口１６には、排水経路１７が接続されており、排水弁（排水手段）１８が設けられている。排水弁１８を開閉することにより、水槽１内の洗濯水の排水と停止を行うことができる。
【００３６】
排水部１５は、下方に窪んだ凹形状の上方開放部の大部分を上方から覆うように蓋部１９を設け、蓋部１９の下方に排水路２０を形成している。蓋部１９の前側の端部１９ａと、排水部１５の前側の端部１５ｂの間に第２の排水口２１を設けている。
【００３７】
第２の排水口２１は、実質的に排水部１５の前側の端部近傍に配設され、排水部１５の後方の端部に位置し、回転槽４の脱水回転方向（矢印ロ）の進行側の端部１５ｃに近接して設けた第１の排水口１６より前側に設けられている。
【００３８】
排水部１５は、回転槽４の脱水回転方向（矢印ロ）の進行側の端部１５ｃと、蓋部１９の脱水回転方向の進行側の端部１９ｂとの間に第２の排水口２１を設けている。すなわち、第２の排水口２１は、排水部１５の前側の端部１５ｂと、回転槽４の脱水回転方向側の端部１５ｃに沿って略Ｌ字状に細長く形成され、蓋部１９の下方に設けた排水路２０と連通し、その後方で第１の排水口１６を介して排水経路１７に接続されている。
【００３９】
制御手段２２は、筐体２内の下方前部に配設され、モータ１０、給水弁１３、排水弁１８等を制御し、洗い、すすぎ、脱水の各工程を逐次制御する。
【００４０】
以上のように構成されたドラム式洗濯機について、以下その動作、作用を説明する。筐体２の前面上部に設けられた操作表示部２３から、運転コースの選択や各工程の時間を入力することにより、設定内容に基づいて、制御手段２２によって、洗いからすすぎ、脱水までを一連の動作として実行することができる。
【００４１】
洗濯を行うときは、扉体１１を開いて回転槽４内に洗濯物５を投入し、操作表示部２３から運転コース等を指示入力して運転を開始することにより、給水経路１４から水槽１内
に水および洗剤が供給され、モータ１０により回転槽４が回転駆動されて、洗濯工程が開始される。
【００４２】
回転槽４が所定の速度（例えば、５０ｒｐｍ程度）で回転することにより、洗濯物５が内周面の複数箇所に設けられた撹拌バッフル９によって回転方向に持ち上げられ、回転槽４内の上方から落下させることによる、叩き洗いが所定時間繰り返されることにより洗濯が行われる。
【００４３】
洗濯工程の後、すすぎ工程、脱水工程が実行されることにより洗濯は完了する。すすぎ工程は、まず、排水弁１８を開放し前工程で用いた洗濯水を排水する排水工程、回転槽４を高速回転（例えば、９００ｒｐｍ）することで、洗濯物５に含まれる汚れや洗剤などを水とともに脱水する中間脱水工程、給水弁１３を開放し水槽１に新たに水を供給する給水工程、回転槽４を所定の速度（例えば、５０ｒｐｍ程度）で回転し、洗濯物５を攪拌するすすぎ工程を順次行う。
【００４４】
すすぎ工程を所定回数行った後、前工程の洗濯水を排水弁１８の開放により排水する排水工程、回転槽４を高速回転（例えば、９００〜１７００ｒｐｍ）させ、洗濯物５に含まれる水分や洗剤分を脱水する本脱水工程を行う。
【００４５】
ここで、図４〜図６は、脱水工程において、回転槽４の高速回転中に水槽１内で発生する気流を模式的に表したものである。
【００４６】
回転槽４が高速回転する中間脱水工程および本脱水工程においては、回転槽４の背面に設けられ、回転軸４ａを支持する羽根形状の放射状にリブを設けた回転軸支持部４ｂがファン効果を起こし、図４に示すように、回転槽４の周側壁７の外側と水槽１との間を後方から前方に流れ、正面側の投入口６から回転槽４内に入り、回転槽４の内側を前方から後方に流れる気流ハを発生させる。
【００４７】
また、回転槽４の周側壁７の外側と空気との粘性や、周側壁７に設けた孔８が抵抗体となるファン効果により、図５に示すように、回転槽４の回転方向（矢印ロ）方向に気流ニが発生する。そのため、水槽１内では、中間脱水工程や本脱水工程中に、図６に示すように、気流ハと気流ニの二つの気流が合成した時計回り、かつ、前方に流れる螺旋状の気流ホが発生する。
【００４８】
なお、一般的に水槽１の内壁面と回転槽４の周側壁７の外面との距離は、１０〜１５ｍｍ程度であり、気流の発生源から距離が近いため、水槽１の内壁面近傍の流れは、気流ニが支配的である。
【００４９】
排水部１５に蓋部１９が設けられていない場合、脱水工程中に、回転槽４の孔８から遠心力により飛散した水は、遠心力と回転槽４の高速回転の慣性力を受けて、斜め方向に飛散し、水槽１の内壁面に付着する。水槽１の内壁面に付着した水滴は、気流ホによって、前方、かつ、時計回りに水槽１の内壁面を移動し、排水部１５に到達する。
【００５０】
排水部１５に回収された水滴は、排水部１５の底部が前上がりに傾斜しているにもかかわらず、大部分が気流ハの影響により排水部１５を前方に移動し、第１の排水口１６から排水されにくくなる。
【００５１】
そして、排水部１５の前端部近傍に溜まった水は、気流ホの影響により傾斜部１５ａを乗り越えて水槽１の内壁面に戻る。この繰り返しにより水槽１の前部を周回する水滴は、気流ハの影響を受けてその一部が投入口６から再び回転槽４内に入り、衣類に付着する。
【００５２】
本発明では、排水部１５に、第１の排水口１６より前側に第２の排水口２１を設け、第２の排水口２１を排水部１５の前側の端部近傍に設けているため、脱水工程中に水槽１内に生じる前方向きの気流を活かして、水槽１の排水部１５に溜まる水を第２の排水口２１から排水することができる。
【００５３】
また、排水部１５は、下方に排水路２０を形成する蓋部１９を設け、排水部１５の前側の端部１５ｂと蓋部１９の前側の端部１９ａとの間に第２の排水口２１を設けているため、第２の排水口２１から排水する排水路２０を水槽と一体に構成することができ、新たな排水用のホース等を必要とせず、振動等による接続部からの水漏れを防止することができる。
【００５４】
また、排水部１５は、下方に排水路２０を形成する蓋部１９を設けているため、脱水工程中に、蓋部１９と水槽１の底面の間に気流ホの影響を受けない空間ができる。脱水工程中に回転槽４の孔８から遠心力により飛散した水滴は、水槽１の内壁面に付着し、気流ホの影響により水槽１内を周回し、排水部１５に到達する。
【００５５】
排水部１５に到達した水は、排水部１５の前側の端部１５ｂと蓋部１９の前側の端部１９ａとの間に設けた第２の排水口２１から、重力によって蓋部１９の下方に形成された空間である排水路２０に落ち、第１の排水口１６から排水経路１７を経て機外へ排出される。
【００５６】
また、排水部１５に到達した水は、回転槽４の脱水回転方向へ流れる気流によって、排水部１５の脱水回転方向側の端部１５ｃへ移動し、蓋部１９の回転方向側の端部１９ｂとの間に設けた第２の排水口２１から、重力によって蓋部１９の下方に形成された空間である排水路２０に落ち、第１の排水口１６から排水経路１７を経て機外へ排出される。
【００５７】
これにより、気流ホの影響を受けた水滴が排水部１５の前方に溜まることなく、第２の排水口２１から排水することができるので、脱水工程中に水槽１内を周回する水滴が回転槽４内に戻ることを防ぐことができ、脱水性能を向上させることができる。
【００５８】
以上のように、本実施の形態においては、筐体２内に設けた水槽１と、水槽１内に回転可能に配設した回転槽４と、回転槽４を回転駆動するモータ１０と、水槽１の底部に設けた凹形状の排水部１５と、排水部１５の最低部に設けた第１の排水口１６と、水槽１内の洗濯水を排水する排水手段１８と、第１の排水口１６および排水手段１８を介して水槽１内の洗濯水を筐体２外へ排出する排水経路１７とを備え、排水部１５は、第１の排水口１６より前側に第２の排水口２１を設けたものであり、脱水工程中に水槽１内に生じる前方向きの気流を活かして、水槽１の排水部１５に溜まる水の排水を促進することができ、水滴が回転槽４内に戻るのを防止して、脱水性能を向上させることができる。
【００５９】
（実施の形態２）
図７は、本発明の第２の実施の形態におけるドラム式洗濯機のＡ−Ａ断面図である。本実施の形態の特徴は、蓋部１９の後端１９ｃ側に第２の排水口２１を設けたものである。他の構成は実施の形態１と同じであり、同一の構成に同一の符号を付して、詳細な説明は実施の形態１のものを援用する。
【００６０】
排水部１５に設けた蓋部１９の後端１９ｃと、排水部１５の後端との間に第２の排水口２１を設けている。さらに、第２の排水口２１は、排水部１５の前側の端部１５ｂと蓋部１９の前側の端部１９ａとの間、および、排水部１５の回転槽４の脱水回転方向側の端部１５ｃと蓋部１９の回転方向側の端部１９ｂとの間にスリット状に形成され、蓋部１９の
周縁に沿って略コ字状に設けられている。
【００６１】
第２の排水口２１を蓋部１９の後端１９ｃ側に設けることにより、回転槽４を高速回転させる脱水工程において、本脱水工程より低速の中間脱水工程では、水槽１内に生じる前方向きの気流が弱く、排水部１５の後部に溜まる水を第２の排水口２１から迅速に排水することができる。
【００６２】
（実施の形態３）
図８は、本発明の第３の実施の形態におけるドラム式洗濯機の要部断面図である。本実施の形態の特徴は、ドラム式洗濯機に乾燥装置を設け、洗濯機能と乾燥機能の両方を備えた、所謂、洗濯乾燥機であり、洗濯した衣類等を同一の回転槽内で続けて乾燥することができるものである。
【００６３】
以下、乾燥装置について説明する。図８において、水槽１の上方前部の周側壁に排気口３１を設け、水槽１の背面部に乾燥用空気を導入する送風口３２を設けている。排気口３１と送風口３２は、水槽１の外部上方の前側から後面側に向けて延設した循環風路３３で連通接続されている。
【００６４】
循環風路３３には、乾燥用空気とともに循環風路３３を通過するリントを捕捉する乾燥フィルタ装置３４と、乾燥用空気を回転槽４に供給する送風ファン（送風手段）３５と、乾燥用空気の除湿を行う除湿手段３６と、除湿された乾燥用空気を加熱する加熱手段３７を設けている。
【００６５】
除湿手段３６および加熱手段３７は、一般的なヒートポンプ装置で構成され、除湿手段３６を吸熱器で構成し、加熱手段３７を放熱器で構成している。ヒートポンプ装置は、冷媒を圧縮する圧縮機（図示せず）と、圧縮後の高温高圧の冷媒の熱を放熱する放熱器（加熱手段）３７と、高圧の冷媒の圧力を減圧するための絞り手段（図示せず）と、減圧されて低圧となった冷媒が周囲から熱を奪う吸熱器（除湿手段）３６を冷媒が循環するように管路（図示せず）で連結している。他の構成は実施の形態１と同じであり、同一の構成に同一の符号を付して、詳細な説明は実施の形態１のものを援用する。
【００６６】
送風ファン３５により送風される乾燥用空気を送風口３２から回転槽４へ供給し、回転槽４内で撹拌されている衣類等の洗濯物５と接触し、湿った空気となって排気口３１から循環風路３３に流入する。衣類から水分を奪って湿った空気は、循環風路３３に設けた吸熱器３６を通過して冷却除湿され、放熱器３７で加熱されて高温の乾いた空気となって、送風口３２から回転槽４へ供給し、排気口３１から循環風路３３に流入して循環する。制御手段２２は、洗濯運転および乾燥運転を制御する。
【００６７】
乾燥機能を備えたドラム式洗濯乾燥機においても、脱水工程中に排水部１５に到達した水滴を第２の排水口２１から排水することができ、水滴が回転槽４内に戻るのを防止して脱水性能を向上させることができるとともに、洗濯した衣類を同一の回転槽４内で続けて効率よく乾燥させることができるようになり、運転時間の短縮と消費電力を低減することができる。
【００６８】
また、脱水運転中に水滴を円滑に機外へ排出することにより、気流による循環風路３３内への水滴の浸入を抑制し、乾燥フィルタ装置３４および循環風路３３を流れる風量を確保して、乾燥性能を良好に維持することができる。
【００６９】
なお、ヒートポンプ装置に代えて、加熱手段にヒータを用い、除湿手段に水冷または空冷式の熱交換器を用いた構成であってもよい。
【産業上の利用可能性】
【００７０】
以上のように、本発明にかかるドラム式洗濯機は、脱水工程時に排水部に溜まる水の排水を促進することができ、脱水性能を向上させることができるので、ドラム式洗濯機として有用である。
【符号の説明】
【００７１】
１  水槽
２  筐体
４  回転槽
１０  モータ
１５  排水部
１６  第１の排水口
１７  排水経路
１８  排水弁（排水手段）
１９  蓋部
２０  排水路
２１  第２の排水口
【図１】
2014147548.tif 000003
【図２】
2014147548.tif 000004
【図３】
2014147548.tif 000005
【図４】
2014147548.tif 000006
【図６】
2014147548.tif 000007
【図７】
2014147548.tif 000008
【図８】
2014147548.tif 000009
【図９】
2014147548.tif 000010
【図５】
2014147548.tif 000011